(57)【要約】【課題】消費者の五感に訴えて購買意欲を喚起する仕組みの構築に役立つ使い捨てコップを提供する。【解決手段】使い捨てコップ１１は、可塑性の素材から成形されるコップ本体１２と、コップ本体１２の表面に口紅で描かれて、唇に象られた模様１４と、コップ本体１２の表面に貼りつけられて模様１４を覆い、口紅の乾燥を防止するフィルム１６ａ、１６ｂとを備える。【選択図】図１
2020202987.tif 000002
【特許請求の範囲】
【請求項１】
可塑性の素材から成形されるコップ本体と、
前記コップ本体の表面に口紅で描かれて、唇に象られた模様と、
前記コップ本体の表面に貼りつけられて前記模様を覆い、前記口紅の乾燥を防止するフィルムと
を備えることを特徴とする使い捨てコップ。
【請求項２】
請求項１に記載の使い捨てコップにおいて、前記口紅には粘着力を増す粘着剤が添加されることを特徴とする使い捨てコップ。
【請求項３】
請求項１または２に記載の使い捨てコップにおいて、前記コップ本体は白色の紙材から形成されることを特徴とする使い捨てコップ。
【請求項４】
請求項１〜３のいずれか１項に記載の使い捨てコップにおいて、前記模様は、前記コップ本体の内壁面に描かれる上唇と、前記コップ本体の外壁面に描かれる下唇とを有することを特徴とする使い捨てコップ。
【発明の詳細な説明】
【技術分野】
【０００１】
本発明は、可塑性の素材から成形されるコップ本体と、コップ本体の表面に描かれる模様とを備える使い捨てコップに関する。
【背景技術】
【０００２】
例えば特許文献１に記載されるように、グラスに赤いキスマーク（唇模様）をプリントする技術は一般に知られる。ガラス素材に無機顔料で模様が着色されると、硬いもので擦ってもプリントは剥がれない。プリントの赤色は半永久的に退色しない。
【０００３】
唇紋は各自固有であって生涯にわたって変化しないことが知られる。したがって、唇紋に基づき唇模様がプリントされれば、そのひとに固有の唇の溝（皺）も再現されることができる。リアル感は演出されることができる。
【先行技術文献】
【特許文献】
【０００４】
【特許文献１】実用新案登録第３０１５３６３号公報
【発明の概要】
【発明が解決しようとする課題】
【０００５】
とはいえ、その程度のリアル感では消費者の購買意欲に結びついていない。今の時代、機能的にいかに優れていても、いかに優れた品質を有していても、それだけでは商品は売れない。ひとの心（感情）を動かす商品が強く求められる。そもそも、ひとは唇に艶めかしさを感じることから、唇模様が五感にさらに強く訴えるものであれば、消費者はもっと唇模様に惹かれると考えられる。消費者の購買意欲は喚起されると考えられる。
【０００６】
本発明は、消費者の五感に訴えて購買意欲を喚起する仕組みの構築に役立つ使い捨てコップを提供することを目的とする。
【課題を解決するための手段】
【０００７】
本発明によれば、可塑性の素材から成形されるコップ本体と、前記コップ本体の表面に口紅で描かれて、唇に象られた模様と、前記コップ本体の表面に貼りつけられて前記模様を覆い、前記口紅の乾燥を防止するフィルムとを備える使い捨てコップが提供される。
【０００８】
コップ本体の表面に口紅で着色されることで視覚的に唇のリアル感は形成されることができる。しかも、フィルムの働きで口紅の瑞々しさ（や粘着感）は維持されることができる。塗られた口紅に触れれば、口紅の質感は得られることができる。こうして視覚的に、かつ、触感的に唇のリアル感は確保されることができる。唇の艶めかしさは演出されることができる。唇模様は消費者の五感に訴えて購買意欲を喚起する。口紅に香りが付加されれば、視覚および触感に加えて嗅覚的にもリアル感は付与されることができる。唇模様はさらに強く消費者の五感に訴える。使用にあたってフィルムが剥がされると、口紅は硬化していく。瑞々しさ（や粘着感）は喪失される。
【０００９】
使い捨てコップでは前記口紅には粘着力を増す粘着剤が添加されてもよい。唇模様に触れたときの粘着感が増強されるので、使い捨てコップの使用者は唇の触感を体感しやすい。加えて、フィルムが剥がされてから、口紅の硬化時間は粘着剤の添加量で調整されることができる。
【００１０】
前記コップ本体は白色の紙材から形成されればよい。白色の背景に口紅色は映えることができる。艶めかしさの演出はさらに強められることができる。唇模様は消費者の五感に訴えて購買意欲を喚起する。
【００１１】
前記模様は、前記コップ本体の内壁面に描かれる上唇と、前記コップ本体の外壁面に描かれる下唇とを有すればよい。飲用に利用された後にコップやグラスに残る口紅（唇の接触痕）は再現されることができる。艶めかしさの演出はさらに強められることができる。唇模様は消費者の五感に訴えて購買意欲を喚起する。
【発明の効果】
【００１２】
以上のように本発明によれば、消費者の五感に訴えて購買意欲を喚起する仕組みの構築に役立つ使い捨てコップは提供されることができる。
【図面の簡単な説明】
【００１３】
【図１】本発明の一実施形態に係る使い捨てコップの全体像を概略的に示す斜視図である。
【発明を実施するための形態】
【００１４】
以下、添付図面を参照しつつ本発明の一実施形態を説明する。
【００１５】
図１は本発明の一実施形態に係る使い捨てコップの全体像を概略的に示す。使い捨てコップ１１は、可塑性の素材から成形されるコップ本体１２を備える。コップ本体１２は白色の紙材から形成される。コップ本体１２は、上に向かって広がる円錐台形状の空間を囲む胴体１２ａと、胴体１２ａの下端に結合される底板１２ｂとを有する。底板１２ｂは円錐台形状の空間を下方から塞ぐ。胴体１２ａおよび底板１２ｂは内側に決められた容量の液体を保持する。胴体１２ａの上縁（コップ本体１２のリム）には外側に巻かれたロール１３が形成される。使い捨てコップ１１は次々に重ねられることができる。使い捨てコップ１１が重ねられると、ロール１３は積層されていく。
【００１６】
コップ本体１２の表面には、口紅で描かれて、唇に象られた模様（唇模様）１４が形成される。唇模様１４は、コップ本体１２の内壁面に描かれる上唇１４ａと、コップ本体１２の外壁面に描かれる下唇１４ｂとを有する。上唇１４ａと下唇１４ｂとは、使い捨てコップ１１が飲用に利用された際にリムに沿って１つの唇でなぞられる唇の接触痕に相当する。
【００１７】
唇模様１４は特定の人物の唇紋を反映する。上唇１４ａおよび下唇１４ｂには特定の人物に固有の溝（皺）１５が再現される。溝１５は、ひし形の溝、格子型の溝、分岐した溝、短い縦線の溝、および、長い縦線の溝を含む。唇の大きさは現物に対して１対１の縮尺を有する。
【００１８】
コップ本体１２の表面には、唇模様１４を覆い、口紅の乾燥を防止するラミネートフィルム１５ａ、１５ｂが貼りつけられる。ラミネートフィルム１５ａ、１５ｂは例えば軟性を有する樹脂材で形成されることができる。ラミネートフィルム１５ａ、１５ｂは透明であればよい。ラミネートフィルム１５ａ、１５ｂは少なくとも唇模様１４の周囲でコップ本体１２の表面に密着する。したがって、唇模様１４は大気から隔離される。密着にあたってラミネートフィルム１５ａ、１５ｂとコップ本体１２との間には密着材（粘着材）が挟まれてもよい。ラミネートフィルム１５ａ、１５ｂはコップ本体１２全体を覆ってもよい。
【００１９】
使用にあたってラミネートフィルム１５ａ、１５ｂは剥がされる。コップ本体１２の表面に口紅で着色されることで視覚的に唇のリアル感は形成されることができる。しかも、ラミネートフィルム１５ａ、１５ｂの働きで口紅の瑞々しさ（や粘着感）は維持されることができる。塗られた口紅に触れれば、口紅の質感は得られることができる。こうして視覚的に、かつ、触感的に唇のリアル感は確保されることができる。唇の艶めかしさは演出されることができる。唇模様１４は消費者の五感に訴えて購買意欲を喚起する。
【００２０】
特に、唇模様１４は特定の人物の唇紋を反映することから、その人物に愛着やら好意やらを抱くひとたちは唇模様１４に特別な艶めかしさを感じざるを得ない。そのひとたちは愛着やら好意やらに基づき唇模様１４に特に惹きつけられる。特に強い購買意欲は喚起されることができる。こうした使い捨てコップ１１は特定の人物のファン向けに重宝がられるかもしれない。
【００２１】
使用にあたってラミネートフィルム１６ａ、１６ｂが剥がされると、口紅は硬化していく。瑞々しさ（や粘着感）は喪失される。リアル感は失われる。使い捨てコップ１１は紙材から形成されるので、使い捨てコップ１１は手軽に使い捨てされることができる。
【００２２】
ここでは、唇模様１４を描く口紅には粘着力を増す粘着剤が添加されてもよい。こうすることで、唇模様１４に触れたときの粘着感が増強されるので、使い捨てコップ１１の使用者は唇の触感を体感しやすい。加えて、ラミネートフィルム１６ａ、１６ｂが剥がされてから、口紅の硬化時間は粘着剤の添加量で調整されることができる。
【００２３】
唇模様１４を描く口紅には香りが付加されてもよい。香りの付加にあたって口紅には香料や香り成分が添加されることができる。香りは例えば特定の人物に固有の香りであればなおよい。こうして唇模様１４に香りが付加されれば、視覚および触感に加えて嗅覚的にもリアル感は付与されることができる。唇模様１４はさらに強く消費者の五感に訴える。
【００２４】
本実施形態に係る使い捨てコップ１１では、コップ本体１２は白色の紙材から形成される。白色の背景に口紅色は映えることができる。艶めかしさの演出はさらに強められることができる。唇模様１４は消費者の五感に訴えて購買意欲を喚起する。
【００２５】
その他、本実施形態では、唇模様１４は、コップ本体１２の内壁面に描かれる上唇１４ａと、コップ本体１２の外壁面に描かれる下唇１４ｂとを有する。飲用に利用された後にコップやグラスに残る口紅（唇の接触痕）は再現されることができる。艶めかしさの演出はさらに強められることができる。唇模様１４は消費者の五感に訴えて購買意欲を喚起する。
【００２６】
コップ本体１２は可塑性のプラスチックから形成されてもよい。この場合でも、同様に、コップ本体１２の表面に口紅で着色されることで視覚的に唇のリアル感は形成されることができる。しかも、ラミネートフィルム１６ａ、１６ｂの働きで口紅の瑞々しさ（や粘着感）は維持されることができる。塗られた口紅に触れれば、口紅の質感は得られることができる。こうして視覚的に、かつ、触感的に唇のリアル感は確保されることができる。唇の艶めかしさは演出されることができる。唇模様１４は消費者の五感に訴えて購買意欲を喚起する。プラスチックは透明であってもよく不透明であってもよい。プラスチックは白色であることが望まれる。
【００２７】
その他、前述のように口紅で描かれる唇模様１４は２枚のフィルムに剥離自在に挟まれて保持されてもよい。唇模様１４はフィルムに挾まれて乾燥から保護される。使用にあたってフィルムは相互に分離される。このとき、一方のフィルムに唇模様１４は残存する。そのまま唇模様１４が紙コップやその他の対象物に押し当てられると、口紅で描かれた唇模様１４は紙コップ１４や対象物に転写されることができる。
【符号の説明】
【００２８】
１１…使い捨てコップ、１２…コップ本体、１４…模様（唇模様）、１４ａ…上唇、１４ｂ…下唇、１６ａ…フィルム（ラミネートフィルム）、１６ｂ…フィルム（ラミネートフィルム）。
【図１】
2020202987.tif 000003